(57)【特許請求の範囲】
【請求項１】
遠距離通信ネットワークによるアクセス手段と、マイクロコンピュータ（１）タイプの処理装置によるアクセス手段とを有する遠距離通信端末であって、前記端末が、少なくとも一つのアプリケーションを実施するためのチップカード（３）と、遠距離通信ネットワークによるカードへの論理アクセス（ＩＩ）手段とを有すが、更に端末が、マイクロコンピュータからカード（３）への論理アクセス（Ｉ）手段と、遠距離通信ネットワークおよび／またはマイクロコンピュータによるアクセスの管理手段（２０）とを有しており、
前記アクセス管理手段（２０）が、
−第一の作動態様によると：
−二つの論理アクセス手段をアクティブのままにし、次に、マイクロコンピュータからの、または該ネットワークからのアクセス手段の一つによるカードへのアクセスの一つを、他方のアクセスを開いたまま、一時的に停止するためにロッキングモードに移行し、
停止されたアクセス手段が該ネットワークからのアクセス手段である場合、該ネットワークが使用する可能性のあるアプリケーションとは異なるアプリケーションに対してマイクロコンピュータがアクセスを要求する際に、停止されたアクセス手段によって到達するコマンドを処理待ちにし、
停止されたアクセス手段がマイクロコンピュータからのアクセス手段である場合、停止されたアクセス手段によって到達するコマンドを処理待ちにし、
−第二の作動態様によると：
−アクセス手段の一つを一時的にノンアクティブにし、次に端末は、該ネットワークが使用する可能性のあるアプリケーションと同一のアプリケーションに対してアクセスを要求するマイクロコンピュータによってアクセスする、チップカード読取り装置モードで専ら作動するか、または専ら遠距離通信端末モード（該ネットワークによるアクセス）で作動する、
ことに適していることを特徴とする、遠距離通信端末（２）。
【請求項２】
論理アクセス（Ｉ，ＩＩ）手段が、マイクロコンピュータから発信した、かつ／または該ネットワークから発信したコマンド解釈と、端末により実行可能なコマンドであるならばこれらのコマンド実行と、カードにより実行可能なコマンドであるならばカードへの伝送との手段を含むことを特徴とする、請求項１に記載の遠距離通信端末。
【請求項３】
カードへのアクセス管理手段は、該ネットワークによるカードへの論理アクセスロッキング手段および解錠手段を有し、該ロッキング手段および解錠手段は、マイクロコンピュータが発信したロッキングコマンドの受信後に端末によりアクティブにされることを特徴とする、請求項１に記載の遠距離通信端末。
【請求項４】
カード読取り装置専用モードであり、可逆的であり、遠距離通信端末作動モードをノンアクティブする通過手段である、読取り装置モードコマンドの受信後に端末によりアクティブにされる実行手段を、カードへのアクセス管理手段が有することを特徴とする、請求項１に記載の遠距離通信端末。
【請求項５】
ロッキング手段がタイムアウトを有し、その間、端末は、電話通信ネットワークのコマンドを受信すること、および解錠するまでこのコマンドを記憶することに適していることを特徴とする、請求項３に記載の遠距離通信端末。
【請求項６】
タイムアウトの時間は、マイクロコンピュータのアプリケーションによって始動したコマンドをカードにより実行するために必要な最長時間に一致することを特徴とする、請求項５に記載の遠距離通信端末。
【発明の詳細な説明】
【０００１】
本発明は、一つまたは複数のアプリケーションプログラムを含むＩＣカード、いわゆるチップカードを備えた遠距離通信端末に関するものである。
【０００２】
本発明は、ＧＳＭまたはＤＣＳ規格に準拠する携帯電話のような、携帯端末タイプのセルラー式電話通信端末に特に適用する。
【０００３】
電話端末内で使用されるチップカードは、加入者の識別を可能にし、かつ電話通信アプリケーションプログラムを有することに留意する。これらのカードは一般的に、ＳＩＭカード（サブスクライバー  アイデンティティ  モジュール）と呼ばれる。
【０００４】
対象とするのは、二枚のチップカードで作動する新世代電話端末であって、一方は電話通信専用のチップカードであり、他方はその他のアプリケーション専用のチップカードであり、例えば電子財布アプリケーションである。
【０００５】
そのために、これらの端末は、二つの、チップカード読取りインターフェースを備えていなければならず、一方は加入者識別チップカードで通信をするため、他方はその他のアプリケーション専用チップカードで通信をするためのものである。
【０００６】
しかしながら、新たな開発は、携帯電話の嵩を縮めることを目的としている。それに達するための一つの方法は、従ってマルチアプリケーションである一つのチップカードのみを使用することから成る。そうすることにより、携帯電話は二つの読取りインターフェースを有する必要がもはやなくなる。
【０００７】
つまり、これらの新たな開発により対象とされるのは、同一のチップカードが複数のアプリケーションプログラムを有すことであり、一つには電話通信であり、もう一つには電子財布のような銀行アプリケーションであることが可能であり、他には、特典アプリケーション（特典ポイント）、保健衛生、更にはゲームアプリケーションであることが可能なことである。
【０００８】
遠距離通信端末は、電話の加入者が、他の加入者またはサービスにアクセスするために、利用する遠距離通信ネットワークに接続することを想定している。
【０００９】
これらのネットワークの中から、電話通信ネットワーク、切り換えネットワーク、またはサービス統合ネットワーク、およびセルラー式電話通信ネットワークが挙げられる。
【００１０】
現在までのところ、端末内に存在する一枚のチップカードまたは前記端末内に存在する複数のチップカードへのアクセスは、前記遠距離通信ネットワークから端末を介する場合のみ可能である。
【００１１】
新たな開発により対象とされるのは、以降マイクロコンピュータと呼ばれるコンピュータまたはマイクロコンピュータ（ＰＣ  パーソナル  コンピュータ、またはＮＣ  ネットワークコンピュータ）タイプの全ての処理装置に、このアクセスが開かれていることである。
【００１２】
このために、遠距離通信端末は、マイクロコンピュータとの物理的接続手段を備えていなければならない。それは、コネクタ、およびケーブルによる連結のことである。無線電気ネットワークを介するデータ転送のために、マイクロコンピュータへ端末を接続することを可能にする入出力ポートを既に備えている端末も幾つか存在する。
【００１３】
つまり、これらの開発は、現行の物理的アクセス手段を使用することを目指す。しかしながら、携帯電話通信ネットワーク以外の手段によってカードへアクセスするという問題は解決しない。
【００１４】
マイクロコンピュータからのカードへの論理アクセス手段と、遠距離通信ネットワークおよび／またはマイクロコンピュータによるアクセス管理手段とを端末内に準備することで、出願人はこの問題を解決した。
【００１５】
論理アクセス手段は、マイクロコンピュータから発信された、かつ／またはネットワークから発信されたコマンドの解釈と、端末により実行可能なコマンドであるならばこれらのコマンド実行と、カードにより実行可能なコマンドであるならばカードへの伝送との手段を含む。
【００１６】
本発明の一つの特徴によると、管理手段は以下のことに適している。
−第一の作動態様によると：
−二つの論理アクセス手段（マイクロコンピュータおよびネットワークによる）をアクティブのままにし、次にマイクロコンピュータからの、またはネットワークからのカードへのアクセス手段の一つを、他方のアクセスを開いたまま、一時的に停止するためにロッキングモードに移行し、かつ停止されたアクセス手段により到達するコマンドを処理待ちにし、
−第二の作動態様によると：
−アクセス手段の一つを一時的にノンアクティブにし、次に端末は、専らチップカード読取り装置モード（マイクロコンピュータによりアクセス）で、または専ら遠距離通信端末モード（ネットワークによるアクセス）で作動すること。
【００１７】
実際、電話通信チャネルによるもの以外で、端末を介してカードへのアクセスを開くことにより、カードに関する情報のあらゆる不慮の競合および／または損失および／または変更を避けるためのアクセス管理という問題も起こる。従って、この問題は出願人によって解決された。
【００１８】
好ましくは、アクセス管理手段は、二つのアクセス手段をアクティブのままにし、かつネットワークが使用する可能性のあるアプリケーションとは異なるアプリケーションについてマイクロコンピュータがアクセスを要求する際、ネットワークアクセス手段によって到達するコマンドを処理待ちにする。
【００１９】
好ましくは、ネットワークが使用する可能性のある同一のアプリケーションについてマイクロコンピュータがアクセスを要求する際、アクセス管理手段が、ネットワークアクセス手段を一時的にノンアクティブにする。
【００２０】
カードへのアクセス管理手段は、ネットワークによるカードへのアクセスロッキングおよび解錠手段を有し、該ロッキング手段および解錠手段は、マイクロコンピュータが発信したロッキングコマンドの受信後に端末によりアクティブにされ、マイクロコンピュータはカードへの二つの同時アクセスを処理することが可能となり、そのうち一方のアクセスはあるアプリケーションのためにネットワークに要求され、他方は別のアプリケーションのためにマイクロコンピュータに要求される。
【００２１】
カードへのアクセス管理手段はまた、カード読取り装置専用モードであり、可逆的であり、遠距離通信端末作動モードをノンアクティブにする通過手段を有し、これらの手段は読取り装置モードコマンドの受信後に端末によりアクティブにされる。
【００２２】
これにより、ネットワークによるアクセス専用アプリケーションについて、マイクロコンピュータがアクセスを要求する場合に処理することが可能となる。従って端末はチップカード読取り装置で作動する。
【００２３】
有利には、ロッキング手段はタイムアウトを有し、その間、端末は、電話通信ネットワークの一つまたは複数のコマンドを受信すること、および解錠するまでこの一つまたは複数のコマンドを記憶することに適している。
【００２４】
有利には、タイムアウトの時間は、カードによりアプリケーションコマンドを実行するために必要な最長時間に一致する。
【００２５】
後に実施し、かつ参考までに挙げられ、後の図面に対して一切限定するものではない説明に移る：
−図１は、二つの異なるアプリケーションへ向けて二つの同時アクセスがある場合の、端末の作動を概略的に図示したものであり、
−図２は、チップカード読取り装置モードの場合の、端末の作動を概略的に図示したものであり、
−図３は、図１で図示した作動態様による通信プロトコルを図示したものであり、
−図４は、図２で図示した作動態様による通信プロトコルを図示したものである。
【００２６】
現在、例えば携帯端末内に挿入したＳＩＭカードは、携帯電話ネットワークの規格、例えば、ＧＳＭ規格によって規格化されたコマンドを受信する。
【００２７】
カード用コマンドは、携帯端末によって厳密に制御される。このアクセス手段はＧＳＭチャネルと呼ばれる（論理チャネルであって物理的ではない）。
【００２８】
ＰＣから携帯端末内のＳＩＭカードへアクセスするには、もう一つの別のアクセス手段が必要であり、この手段を読取り装置チャネルと呼ぶ（ＰＣに接続した論理チャネルのことである）。
【００２９】
二つの異なるチャネルによるＳＩＭカードへの同時アクセスは、リソースの共有という問題を生じさせる。このため、カードへのアクセスのロッキングおよび解錠コマンドが準備される。
【００３０】
ＧＳＭチャネルが優先であるよう、タイムアウト機構はアクセスを解錠で「タイムアウト」（または「カウントダウン」）する。
【００３１】
各チャネルを介しての、同一カード内での、二つの異なるアプリケーションによる同時アクセスは、端末にロードされたマルチアプリケーションのオペレーティングシステムによって解決された。
【００３２】
次に詳細に説明するが、読取り装置チャネルによって、ＧＳＭチャネルが使用する同一のアプリケーションへアクセスすることが有利である場合もある。この問題をカードが解決できないので、本発明に従って、作動モードの変更が準備され、携帯端末はチップカードの読取り装置モードに移行する。
【００３３】
端末は、好ましくは、ＧＳＭチャネルを優先する。ネットワーク通信プロトコル（ＧＳＭ）のＳＩＭコマンドは、カードによって適切な時間内で実行される。そのため、カードが読取り装置チャネルを介して作用される際、該カードは待機（タイムアウト）によって所定の時間を超えて作用されることは不可能であり、場合によっては設定することができない。実際には、この時間はカードによるアプリケーションコマンドの実行時間（ＡＰＤＵ：アプリケーション  プロトコル  データ  ユニット）に対応する。
【００３４】
実際には、読取り装置チャネルがカードに送信した各アプリケーションコマンド（ＡＰＤＵフォーマット）を、ロッキングモードコマンドと、解錠モードコマンドとがフレーミングする。
【００３５】
他方、複数アクセスの場合、読取り装置チャネルが送信したコマンドタイプは、ＧＳＭチャネルを経由して送信したコマンドタイプと必ず違わなければならず、というのも、コマンドの発信地、つまり読取り装置チャネル経由のコマンドか、またはＧＳＭチャネル経由のコマンドかを区別するいかなる手段も、カードが備えていないからである。同じタイプのコマンドシーケンスはカード内にコンテキストを作る。従って、カードの機能障害を引き起こし、かつカードのリセット（端末のパワーオフ／パワーオン）によってのみ解決されるこのコンテキストを、もう一つのチャネルによって到達する同じタイプのコマンドは、予測不可能な方法で変更する。
【００３６】
従って、ＧＳＭチャネルが伝送するコマンドと同じタイプの、読取り装置チャネルによって到達するコマンドの実行を可能にするために、次に詳細に説明するように、読取り装置専用モードで端末を移行することが準備される。
【００３７】
ここで、図１の概略図を基にして、端末の作動を説明するが、該端末は、複数アクセス：二つの異なるアプリケーションａｐｐｌｉ．１およびａｐｐｌｉ．２にそれぞれ到達するための、ＰＣによるアクセスＩおよびネットワークによるアクセスＩＩ、の場合に対応する。
【００３８】
ＰＣにインストールしたアプリケーションは、携帯端末のカードへアクセスするために、ロッキングモードコマンドを送信する。
【００３９】
このコマンドが達した際、ＰＣアプリケーションはアプリケーションコマンド（ＡＰＤＵフォーマット）をカードに送信し、携帯経由で、その結果をＰＣ内から取り戻し、かつカードへのアクセスの解錠モードコマンドを、端末に送信する。
【００４０】
ここで、図２の概略図を基にして、ネットワークが通常使用する（電話通信の）ａｐｐｌｉ．１にＰＣがアクセスを求める場合の、端末の作動を説明する。
【００４１】
携帯端末のカードへ専用アクセスし、従って遠距離通信端末機能をノンアクティブにするために、ＰＣにインストールしたアプリケーションは読取り装置モードコマンドを送信する。
【００４２】
このコマンドが達した際、ＰＣアプリケーションは一つまたは複数のアプリケーションコマンド（ＡＰＤＵフォーマット）をカードに送信し、携帯を経由して、ＰＣ内のその結果をその都度取り戻し、ついで、ＰＣアプリケーションが終了した際に、読取り装置モード終了コマンドを端末に送信し、よってネットワークによるアクセスを再び開く。
【００４３】
ここで図１による、ＰＣと、端末と、ネットワークとの間の通信プロトコルを説明するが、このプロトコルは図３に図示した。
【００４４】
ＰＣ上のアプリケーションがＡＰＤＵコマンド（該コマンドは、複数のＴＰＤＵコマンドを含むことが可能である）の実行を携帯端末で望む際、そのアプリケーションは、ロッキングモードコマンドを使用してカードへアクセスすることを端末に要求する。端末はアクセスが可能であるかどうかを検証する。この場合、その端末は読取り装置チャネルのみにアクセスを限定するロックを配置し、（つまり、該端末はマイクロコンピュータに対してアクセスを開く）タイムアウトを開始し、その終わりにはロックが自動的に解除される。従ってＰＣは、ＡＰＤＵコマンドを構成するＴＰＤＵコマンドを送信し、該コマンドは端末がカードに実行させる。端末はカードのレスポンスを送信する。最後に、ＰＣは端末に解錠モードコマンドを使用してアクセス解除を要求する。端末は実行し、タイムアウトを終了させる。
【００４５】
この間にＧＳＭチャネル経由で、カードに実行させるべきコマンド（ＳＩＭ）を端末が受信していたなら、端末はそれらを記憶する。
【００４６】
アクセスＩＩが新たに使用可能となる際、端末はＧＳＭチャネルのみアクセスをロックし、処理待ちコマンドをカードによって実行させる。最後に、端末はアクセスＩＩを解除する。
【００４７】
カレントモードにおいては、端末がＧＳＭチャネル経由でコマンドを受信する際、端末はＧＳＭチャネルのみアクセスをロックし、対応するコマンドをカードによって実行させ、ついでアクセスを解除する。
【００４８】
端末が実施するタイムアウトの最長時間は、ＧＳＭチャネル経由で受信したコマンドの記憶容量に直接関係する。このタイムアウトは、読取り装置チャネル経由でカードが伝送した一つのＡＰＤＵ実行最長時間が不可欠である。
【００４９】
読取り装置専用モードに対応するプロトコルは、以下に記載し、かつ図４に示された。
【００５０】
このモードの利点は、ＧＳＭネットワークによる使用と競合する危険性なしに、使用者が、特にコマンドの送信（カードのカスタマイズ）のためにカードへアクセスすることを可能にすることである。カードを携帯端末から引き出して、従来の読取り装置に挿入する必要はもはや無くなる。携帯端末が読取り装置になるからである。
【００５１】
ＰＣは、読取り装置専用モードにおいて、読取り装置モードコマンドを使用して変更を要求する。端末は、ＧＳＭネットワークとのあらゆる通信をノンアクティブにする。
【００５２】
するとＰＣは端末にＴＰＤＵコマンドを送信して、端末を常用のカード読取り装置として使用する。端末はカードのレスポンスをこれらのコマンドに伝送する。操作の最後に、ＰＣは、読取り装置モード終了コマンドを使用してＧＳＭネットワークとの通信の再アクティブ化を要求する。
【００５３】
多重アクセスモードとの整合性を保つためには、端末に送信した各ＡＰＤＵコマンドを、ロッキングモードおよび解錠モードコマンドがフレーミングすることが可能である。読取り装置専用モード内のこれらのコマンドは、端末内で無効にならなければならない。タイムアウトが端末内で開始しないのは、コマンドが常に成功するからである。
【００５４】
いずれかの通信の間の失敗に続いて、端末を再開する時、欠陥による作動モードが想定されるが、好ましくは遠距離通信端末での作動モードである（ネットワークからのアクセス）。
【００５５】
端末は、例えばマルチアプリケーションＳＩＭカードの場合、例えば以下のために使用可能となる：
−離れたコンピュータへのアクセス制御、支払い（電子財布、クレジット、…）、…等、
−ＧＳＭ上の売り場の端末、ＧＳＭ上のＡＴＭ、…、等。
−増加するＳＩＭカードの加入者によるカスタマイズ。
【００５６】
例えばＧＳＭ優先アクセス、タイムシェアリングでのアクセス等のような他の管理方法が考えられる。
【００５７】
タイムシェアリングでのアクセスの場合、各チャネル用のそれぞれのバッファメモリへの先行保存および各バッファメモリの交互読み取りによるアクセスの許可を備えることができる。
【図面の簡単な説明】
【図１】  図１は、二つの異なるアプリケーションへ向けて二つの同時アクセスがある場合の、端末の作動を概略的に図示したものである。
【図２】  図２は、チップカード読取り装置モードの場合の、端末の作動を概略的に図示したものである。
【図３】  図３は、図１で図示した作動態様による通信プロトコルを図示したものである。
【図４】  図４は、図２で図示した作動態様による通信プロトコルを図示したものである。
【図１】
0004293729.tif 000002
【図２】
0004293729.tif 000003
【図３】
0004293729.tif 000004
【図４】
0004293729.tif 000005